(57)【要約】【課題】屋外照明の段調光制御において、ユーザに違和感を与えずにかつ省エネ性を担保して減光することができる電源装置を提供する。【解決手段】本発明の屋外照明用の電源装置１は、入力された調光入力信号から目標調光率を決定する調光目標決定部３３４、目標調光率の決定前における当初調光率から目標調光率への調光低下量に基づいて、調光率が当初調光率から目標調光率まで低下する移行時間を決定する移行時間決定部３３５、及び目標調光率又は調光低下量と移行時間とに従って調光指令値を変化させる調光指令出力部３３６を有し、調光低下量が大きいほど移行時間が長くなるように構成された調光制御部３と、調光指令値に応じた出力電力を光源４に供給する電力供給部２とを備える。【選択図】  図１
2015035302.tif 000002
【特許請求の範囲】
【請求項１】
屋外照明用の電源装置であって、
入力された調光入力信号から目標調光率を決定する調光目標決定部、前記目標調光率の決定前における当初調光率から前記目標調光率への調光低下量に基づいて、調光率を前記当初調光率から前記目標調光率まで低下させる移行時間を決定する移行時間決定部、及び前記目標調光率又は前記調光低下量と前記移行時間とに従って調光指令値を変化させる調光指令出力部を有し、前記調光低下量が大きいほど前記移行時間が長くなるように構成された調光制御部と、
前記調光指令値に応じた出力電力を光源に供給する電力供給部と
を備えた電源装置。
【請求項２】
請求項１に記載の電源装置において、前記調光制御部が、前記移行時間中に所定の調光入力信号が入力された場合に該所定の調光入力信号の入力時以降の前記移行時間を短縮させる移行時間短縮部をさらに備えた電源装置。
【請求項３】
請求項２に記載の電源装置において、前記移行時間短縮部が、前記移行時間中に所定の調光入力信号が入力された場合に該所定の調光入力信号の入力時以降の前記移行時間をゼロとするように構成された電源装置。
【請求項４】
請求項１から３のいずれか一項に記載の電源装置において、前記調光制御部において、前記調光低下量が大きいほど前記調光低下量を前記移行時間で除した移行速度が低くなるように構成された電源装置。
【請求項５】
請求項１から４のいずれか一項に記載の電源装置と、該電源装置が内蔵されたポールと、前記光源と、該光源が配置されるとともに前記ポールの一端に取り付けられた灯具本体とを備えた道路灯。
【請求項６】
請求項１から４のいずれか一項に記載の電源装置と、前記光源と、前記電源装置及び前記光源が内蔵された筐体とを備えたトンネル灯。
【発明の詳細な説明】
【技術分野】
【０００１】
本発明は屋外照明用の電源装置並びにそれを用いた道路灯及びトンネル灯に関する。
【背景技術】
【０００２】
道路灯、トンネル灯等の屋外照明は省エネのために調光点灯される場合がある。例えば、特許文献１は、道路照明において、予め照度切換時刻を記憶したタイマー（１）と調光器（２）を組み合わせることにより、交通量の多い時間帯のみ照明灯（３）の照度を高くし、交通量の少ない時間帯には照度を低くする調光システムを開示する。
【０００３】
また、特許文献２は、所定時間におけるトンネル内の交通量を予測する予測手段（５）と、予測手段による予測値に基づいてトンネル灯（１）の明るさを制御する調光制御部（３）を備えたトンネル灯制御装置を開示する。
【０００４】
また、特許文献３は、トンネル内で区分けされた各ブロックへの車両の進入を検出する車両感知手段（Ｓ１〜Ｓ６）と、車両感知手段による検出結果に基づいてトンネル灯（１）の明るさを制御する調光制御手段（３）を備えるトンネル灯制御装置を開示する。同文献によると、車両進入ブロックよりも前方のブロックのトンネル灯が増光される一方、車両進入ブロックよりも後方のブロックのトンネル灯が減光される。
【先行技術文献】
【特許文献】
【０００５】
【特許文献１】特開２００３−１６８５７５号公報
【特許文献２】特開平７−３２６２１０号公報
【特許文献３】特開平１０−３３４７１１号公報
【発明の概要】
【発明が解決しようとする課題】
【０００６】
しかし、上記各特許文献の構成によると、急峻な減光が路上のドライバー、ライダー、歩行者等（以下、「ユーザ」という）に違和感を与える可能性がある。例えば、特許文献１の道路照明システムによると、交通量が減る夜間（２２時）には照度が全光出力から調光出力に瞬時に切り替えられる。ところが、交通量が減る時間帯であっても路上にユーザがいる可能性があり、突然の減光に遭遇するユーザは動揺してしまう可能性がある。また、特許文献２のトンネル灯制御装置においても、交通量の減少に伴って照度が全光出力から調光出力に瞬時に切り替えられる。上記と同様に、交通量が減る時間帯であってもトンネル内には走行車両が存在する可能性があり、トンネル内で突然の減光に遭遇するユーザは不安感を覚えることになる。屋外照明の場合、屋内照明とは異なり、減光がユーザの意思とは無関係に行われることに起因して上記のようなユーザの不安が助長される。またさらに、道路灯、トンネル灯等の屋外照明の調光においては、多数の照明装置が一斉に減光されるため、ユーザにおける違和感は増幅されることになる。
【０００７】
一方、減光時の照度の低下をなだらかにする場合に減光速度を遅くし過ぎると、所望の省エネ効果を得難くなる。特に道路灯、トンネル灯等の屋外照明においては、一度に多数の照明装置が制御されるため、目標の減光状態に到達する時間を過度に長くすると省エネ効果が大きく減殺されてしまう。特に、特許文献３のように、増光の合間に減光が行われる場合、減光制御における減光速度が低いと充分な減光が行われないまま次の増光制御が行われてしまい、所望の省エネ効果が得られなくなる場合がある。
【０００８】
そこで、本発明は、屋外照明の段調光制御において、ユーザに違和感を与えずにかつ省エネ性を担保して減光することができる電源装置を提供することを課題とする。本発明はまた、そのような電源装置を用いた道路灯及びトンネル灯を提供することを課題とする。
【課題を解決するための手段】
【０００９】
本発明による屋外照明用の電源装置は、屋外照明用の電源装置であって、入力された調光入力信号から目標調光率を決定する調光目標決定部、目標調光率の決定前における当初調光率から目標調光率への調光低下量に基づいて、調光率が当初調光率から目標調光率まで低下する移行時間を決定する移行時間決定部、及び目標調光率又は調光低下量と移行時間とに従って調光指令値を変化させる調光指令出力部を有し、調光低下量が大きいほど移行時間が長くなるように構成された調光制御部と、調光指令値に応じた出力電力を光源に供給する電力供給部とを備える。
【００１０】
上記構成によると、より大きな視覚的影響をもたらす大きな照度低下量においては減光完了までの時間が長くなり、視覚的影響が少ない小さな照度低下量においては減光完了までの時間が短くなる。従って、段調光制御において、照度低下量が大きい場合の視覚的違和感を解消しかつ照度低下量が小さい場合の省エネ性を実現することができる。
【００１１】
また、上記電源装置は、調光制御部が、移行時間中に所定の調光入力信号が入力された場合に所定の調光入力信号の入力時以降の移行時間を短縮させる移行時間短縮部をさらに備える。ここで、移行時間短縮部が、移行時間中に所定の調光入力信号が入力された場合に所定の調光入力信号の入力時以降の移行時間をゼロとすることが好ましい。これによると、評価時、検査時等においては、移行期間の完了を待たずに目標調光率を得ることができ、作業性が向上する。
【００１２】
またさらに、調光制御部において、調光低下量が大きいほど調光低下量を移行時間で除した移行速度が低くなるように構成してもよい。これによると、より大きな視覚的影響をもたらす大きな照度変化量においては照度変化が遅くなり、視覚的影響が少ない小さな照度変化量においては照度変化が速くなるので、段調光制御において、視覚的違和感の解消及び省エネの実現をさらに担保することができる。
【００１３】
本発明による道路灯は、上記の電源装置と、電源装置が内蔵されたポールと、光源と、光源が配置されるとともにポールの一端に取り付けられた灯具本体とを備える。これによると、路上において段調光制御を行う場合であっても、ユーザに違和感を与えずにかつ省エネ性を実現することができる。
【００１４】
本発明によるトンネル灯は、上記の電源装置と、光源と、電源装置及び光源が内蔵された筐体とを備える。これによると、トンネル内で段調光制御を行う場合であっても、ユーザに違和感を与えずにかつ省エネ性を実現することができる。
【図面の簡単な説明】
【００１５】
【図１】本発明の第１の実施形態による、屋外照明用の電源装置及び段調光制御システムを示すブロック図である。
【図２】本発明の第１の実施形態による段調光制御の一例を示す図である。
【図３】本発明の第１の実施形態による段調光制御の他の例を示す図である。
【図４】本発明の第１の実施形態による段調光制御における移行時間短縮制御を示す図である。
【図５】本発明の第１の実施形態による段調光制御を示すフローチャートである。
【図６】本発明の第２の実施形態による段調光制御の一例を示す図である。
【図７】本発明の第３の実施形態による道路灯及び道路灯システムを示す図である。
【図８】本発明の第４の実施形態によるトンネル灯及びトンネル灯システムを示す図である。
【発明を実施するための形態】
【００１６】
実施形態１．
＜電源装置及び段調光制御システム＞
図１に本発明の第１の実施形態による屋外照明用の電源装置１及び段調光制御システム５のブロック図を示す。電源装置１は電力供給部２及び調光制御部３を備え、交流電源ＡＣが配線Ｗ１及びＷ２を介して供給され、電力供給部２からの出力電力が配線Ｗ３及びＷ４を介してＬＥＤユニット４に供給される。なお、説明の便宜上、電力供給部２と調光制御部３はそれぞれ別ブロックに配置されるものとしているが、これらは一体化されていてもよい。このように、本明細書における説明において、各回路が上記のどのブロックに属するかは便宜的なものであり、本発明を拘束するものではない。段調光制御システム５は電源装置１及びコントローラ６を含む。
【００１７】
電力供給部２は、整流回路２０１、トランス２０２、スイッチング素子２０３、ダイオード２０４、平滑コンデンサ２０５、電流制御回路２０６、電流検出抵抗２０７、フォトカプラ２０８及びＰＷＭ制御回路２０９を備える。トランス２０２、スイッチング素子２０３、ダイオード２０４及び平滑コンデンサ２０５がフライバックコンバータの主回路部を構成し、電流制御回路２０６、電流検出抵抗２０７、フォトカプラ２０８及びＰＷＭ制御回路２０９がフライバックコンバータの制御部を構成する。本実施形態におけるフライバックコンバータの主回路部は絶縁型フライバックコンバータからなり、力率改善機能を持つ所謂ワンコンバータ方式のフライバック降圧回路を構成する。なお、電力供給部２は、ＬＥＤユニット４に直流電流を供給することができれば、力率改善回路及びフライバックコンバータ回路からなる構成、力率改善回路及び非絶縁型の降圧チョッパ回路等、他の方式の降圧コンバータであってもよい。
【００１８】
整流回路２０１はダイオードブリッジからなり、交流電源ＡＣからの入力電圧が整流回路２０１によって全波整流され、整流回路２０１からの全波整流出力がフライバックコンバータに入力される。スイッチング素子２０３のオン期間にトランス２０２の一次巻線によってエネルギーが蓄積され、スイッチング素子２０３のオフ期間にそのエネルギーがトランス２０２の二次巻線側からダイオード２０４を介して平滑コンデンサ２０５に充電される。降圧比は一次巻線に対する二次巻線の巻数比によって決まり、出力電流はスイッチング素子２０３のＰＷＭ制御におけるオンデューティ（オン期間幅）によって決まる。
【００１９】
電流制御回路２０６は、後述する調光制御部３からの調光指令値に応じてスイッチング素子２０３のＰＷＭ制御におけるオンデューティを決定する。例えば、電流制御回路２０６は誤差増幅器を有し、電流検出抵抗２０７によって検出される出力電流（ＬＥＤ電流）が調光制御部３からの指令値に一致するように誤差増幅信号を出力する。電流制御回路２０６からの誤差増幅信号は、フォトカプラ２０８によってその基準電位がトランス２０２の二次側の基準電位から一次側の基準電位に変換され、ＰＷＭ制御回路２０９に入力される。ＰＷＭ制御回路２０９は入力された誤差増幅信号に応じてスイッチング素子２０３をＰＷＭ制御する。
【００２０】
調光制御部３は調光入力回路３１及び３２並びにマイクロコンピュータ（ＭＣ）３３を備え、コントローラ６からの調光入力信号Ｄ１及びＤ２に応じて電力供給部２への調光指令値を決定する。本実施形態においては、全光、調光及び消灯の切換は段階的に制御される（すなわち、段調光制御される）ものとする。言い換えると、調光入力信号Ｄ１及びＤ２は、単独で又は組合せにおいて、全光、所定調光度での調光、及び消灯を指示する信号であるものとする。
【００２１】
調光入力信号は、論理レベルによって全光、調光若しくは調光率又は消灯を特定する論理信号であってもよいし、調光率の切換毎に入力されるパルス状の切換信号であってもよいし、オンデューティによって全光、調光率又は消灯を特定するＰＷＭ信号であってもよい。なお、以降の説明においては、調光入力信号は上記の論理信号であるものとする。
【００２２】
調光入力回路３１は整流回路３１１、分圧回路３１２及びフォトカプラ３１３を含む。整流回路３１１はダイオードからなり、入力回路を構成する。分圧回路３１２において調光入力信号Ｄ１の振幅が所望の電圧となるように分圧され、分圧された調光入力信号Ｄ１がフォトカプラ３１３に入力される。調光入力信号Ｄ１は、フォトカプラ３１３によってその基準電位がＭＣ３３の基準電位に変換され、ＭＣ３３の入出力インターフェイス（Ｉ／Ｏ）３３１に入力される。調光入力回路３２も整流回路３２１、分圧回路３２２及びフォトカプラ３２３を含み、その構成及び動作は、上記の調光入力回路３１と同様である。
【００２３】
ＭＣ３３は、Ｉ／Ｏ３３１、ＣＰＵ３３２、メモリ３３３、調光目標決定部３３４、移行時間決定部３３５、調光指令出力部３３６、及び移行時間短縮部３３７を含み、これらはバス３３８によって相互に接続されている。
【００２４】
ＣＰＵ３３１は各部間の信号のやりとりを制御するプロセッサであり、メモリ３３２はプログラム及びデータを記憶するメモリである。ＣＰＵ３３１は、調光入力回路３１及び３２を介して入力される調光入力信号Ｄ１及びＤ２の論理の切換の有無を識別する。すなわち、調光入力信号Ｄ１又はＤ２の論理に変化があった場合に、段調光制御を開始する。
【００２５】
調光目標決定部３３４は、調光入力信号Ｄ１及びＤ２の論理を判別し、これらの論理の組合せによって目標調光率を決定する。調光入力信号の論理状態の組合せと調光率の対応関係は任意に設定され得る。例えば、調光入力信号Ｄ１及びＤ２の論理がともにローである（すなわち、調光入力信号Ｄ１及びＤ２のいずれも受信されていない）場合には、調光目標決定部３３４は目標調光率を１００％（すなわち全光）とする。調光入力信号Ｄ１の論理がハイであり、調光入力信号Ｄ２の論理がローである場合（すなわち、調光入力信号Ｄ１のみが受信されている場合）には、調光目標決定部３３４は目標調光率を７０％と決定する。調光入力信号Ｄ１の論理がローであり、調光入力信号Ｄ２の論理がハイである場合（すなわち、調光入力信号Ｄ２のみが受信されている場合）には、調光目標決定部３３４は目標調光率を５０％と決定する。そして、調光入力信号Ｄ１及びＤ２の論理がともにハイである場合（すなわち、調光入力信号Ｄ１及びＤ２が受信されている場合）には、調光目標決定部３３４は目標調光率を２５％と決定することができる。
【００２６】
別法として、調光入力信号Ｄ１及びＤ２の論理がともにハイである場合（すなわち、調光入力信号Ｄ１及びＤ２が受信されている場合）には、調光目標決定部３３４は目標調光率を０％（すなわち、消灯）と決定するようにしてもよい。この場合、調光入力信号Ｄ１のみが受信されている場合には、調光目標決定部３３４は目標調光率を５０％と決定し、調光入力信号Ｄ２のみが受信されている場合には、調光目標決定部３３４は目標調光率を２５％と決定することができる。調光入力信号の論理状態の組合せと調光率の対応は上記に限られず、他の対応関係のもとに段調光制御が行われるようにしてもよいし、調光入力の系統を３以上として、より多くの調後段が適用される構成としてもよい。
【００２７】
移行時間決定部３３５は、段調光制御開始前、すなわち目標調光率の決定前の当初調光率から、調光目標決定部３３４によって決定された目標調光率への変化量（以下、「調光低下量」という）に基づいて、調光率が当初調光率から目標調光率まで低下する移行時間を決定する。具体的には、移行時間決定部３３５は、調光低下量が大きいほど移行時間を長くする。なお、調光低下量は調光率の差分、比等によって定義され得る。例えば、調光率が当初調光率１００％から目標調光率２５％に低減される場合、調光低下量は、その差分である７５％として定義されてもよいし、その比である４（＝１００／２５）として定義されてもよい。
【００２８】
調光指令出力部３３６は、調光目標決定部３３４によって決定された目標調光率まで、移行時間決定部３３５によって決定された移行時間に従って、電力供給部２への調光指令値を変化させる。この移行制御により、調光切換前後での照度の変化量が大きいほど、当初調光率から目標調光率への移行時間が長くなる。調光指令出力部３３６によって制御される調光指令値はＩ／Ｏ３３１を介して電力供給部２の電流制御回路２０６に出力される。
【００２９】
移行時間短縮部３３７は、移行制御中に、評価用、検査用等に使用され得る所定の調光入力信号（以下、「キャンセル信号」という）の有無を特定し、キャンセル信号を検出した時点で瞬時移行指令を出力する。調光指令出力部３３６は、瞬時移行指令が入力されると、移行制御を中止して調光指令値を瞬時に目標調光率まで移行させる。すなわち、移行時間短縮部３３７は、キャンセル信号が受信された以降の残余の移行時間を実質的にゼロにする。
【００３０】
ここで、キャンセル信号は調光入力信号の論理切換の間隔によって構成されるようにすればよい。例えば、調光入力信号Ｄ１がハイとなり移行制御が開始された後、移行期間内に調光入力信号Ｄ１の論理がローとなり再びハイとされた場合にキャンセル信号が形成されるようにすればよい。また別法として、調光入力信号Ｄ１及びＤ２のいずれかがハイとなり移行制御が開始された後、移行期間内に調光入力信号Ｄ１及びＤ２双方の論理が反転された場合にキャンセル信号が形成されるようにしてもよい。なお、調光制御部３において、キャンセル信号等の評価・検査用の信号を個別に受信する調光入力回路及びそれに対応するＭＣ３３の入力ポートが別途設けられる構成としてもよい。移行時間短縮部３３７は、このような調光入力信号の特定のパターン又は変化を識別してキャンセル信号の有無を判別し、キャンセル信号有の場合には瞬時移行指令を出力する。
【００３１】
ＬＥＤユニット４は直列接続された複数のＬＥＤ素子４０１を有し、電力供給部２からの直流出力電流が配線Ｗ３及びＷ４を介して供給される。
【００３２】
コントローラ６は上述した調光入力信号Ｄ１及びＤ２を配線Ｗ５、Ｗ６及びＷ７を介して電源装置１（調光制御部３）に出力する。従って、コントローラ６は所定の目標調光率を指示する段調光制御、及びキャンセル信号の出力による移行時間短縮制御を電源装置１に実行させることができる。また、図１においては、１つのコントローラ６に１つの電源装置１が接続される構成が示されるが、１つのコントローラ６に複数の電源装置１が接続される構成としてもよい。この場合、調光入力信号Ｄ１及びＤ２は各電源装置１に対して共通となる。また、複数のコントローラ６に１以上の電源装置１が接続される構成としてもよい。
【００３３】
図２に、本実施形態による段調光制御の一例を示す。図２の横軸は時間（秒）であり、縦軸は光出力（％）である。線Ａは調光率１００％（全光）から５０％への減光を示し、線Ｂは調光率１００％（全光）から２５％への減光を示す。線Ａについては、時刻ｔ１において目標調光率を５０％とする調光入力信号が入力され、時刻ｔ２において調光指令値が目標調光率に到達して移行制御が終了する。線Ｂについては、時刻ｔ１において目標調光率を２５％とする調光入力信号が入力され、時刻ｔ５において調光指令値が目標調光率に到達して移行制御が終了する。
【００３４】
調光低下量を調光率の差分で定義した場合、線Ａにおける調光低下量は５０％であり、線Ｂにおける調光低下量は７５％である。このように、線Ｂにおける調光低下量は線Ａにおける調光低下量よりも大きいため、線Ｂにおける移行時間（ｔ１〜ｔ５）は線Ａにおける移行期間（ｔ１〜ｔ２）よりも長くなるように移行制御が行われる。例えば、線Ａにおける移行期間は１秒であり、線Ｂにおける移行期間は１０秒である。
【００３５】
図３に、本実施形態による段調光制御の他の例を示す。図３の横軸は時間（秒）であり、縦軸は光出力（％）である。線Ｂは、図２と同様に、調光率１００％（全光）から２５％への減光における移行制御を示し、線Ｃは調光率７０％（全光）から２５％への減光における移行制御を示す。線Ｂについては、時刻ｔ１において目標調光率を２５％とする調光入力信号が入力され、時刻ｔ５において調光指令値が目標調光率に到達して移行制御が終了する。線Ｃについては、時刻ｔ１において目標調光率を２５％とする調光入力信号が入力され、時刻ｔ３において調光指令値が目標調光率に到達して移行制御が終了する。
【００３６】
調光低下量を調光率の差分で定義した場合、線Ｂにおける調光低下量は７５％であり、線Ｃにおける調光低下量は４５％である。このように、線Ｃにおける調光低下量は線Ｂにおける調光低下量よりも小さいため、線Ｃにおける移行時間（ｔ１〜ｔ３）は線Ｂにおける移行期間（ｔ１〜ｔ５）よりも短くなるように移行制御が行われる。例えば、線Ｂにおける移行期間は１０秒であり、線Ｃにおける移行期間は約６秒である。
【００３７】
図４に、本実施形態による段調光制御における移行時間短縮制御を示す。図４の横軸は時間（秒）であり、縦軸は光出力（％）である。線Ｄについて、時刻ｔ１までは全光点灯が行われ、時刻ｔ１において目標調光率を２５％とする調光入力信号が入力され、時刻ｔ４においてキャンセル信号が入力されたものとする。時刻ｔ４において、移行時間短縮部３３７が、時刻ｔ４以降の移行時間をゼロとする。すなわち、調光制御部３は、時刻ｔ４において調光指令値を瞬時に２５％とし、移行制御を終了させる。
【００３８】
図５に、電源装置１の段調光制御を示すフローチャートを示す。
ステップＳ１０の時点で所与の調光率（全光を含む）による点灯が行われているものとする。ステップＳ１０において、コントローラ６からの調光入力信号の論理に変化が発生し、調光目標決定部３３４が調光入力信号に基づいて目標調光率を決定する。
ステップＳ１５において、移行時間決定部３３５が、当初調光率及び目標調光率から調光低下量を求め、調光低下量に基づいて移行時間を決定する。
ステップＳ２０において、調光指令出力部３３６が、ステップＳ１０で決定された目標調光率又はステップＳ１５で求められた調光低下量、及びステップＳ１５で決定された移行時間に従って、調光指令値の移行（低減）を開始する。
【００３９】
ステップＳ２５において、移行時間短縮部３３７がキャンセル信号の有無を判別する。キャンセル信号が検出されない場合（ステップＳ２５、Ｎｏ）、処理はステップＳ３５に進む。キャンセル信号が検出された場合（ステップＳ２５、Ｙｅｓ）、ステップＳ３０において、移行時間短縮部３３７が、残余の移行時間をゼロとして移行期間を終了させる。
【００４０】
ステップＳ３５において、ＣＰＵ３０１は、調光指令出力部３３６によって出力される調光指令値が目標調光率に到達したか否かを判断する。調光指令値が目標調光率に到達していない場合（ステップＳ３５、Ｎｏ）、処理はステップＳ２５に戻る。調光指令値が目標調光率に到達した場合（ステップＳ３５、Ｙｅｓ）、処理は終了する。
【００４１】
以上のように本実施形態の電源装置１によると、調光制御部３が、調光入力信号から目標調光率を決定する調光目標決定部３３４、当初調光率から目標調光率への調光低下量に基づいて移行時間を決定する移行時間決定部３３５、及び目標調光率又は調光低下量と移行時間とに従って調光指令値を変化させる調光指令出力部３３６を有する。そして、調光低下量が大きいほど移行時間が長くなるように構成される。このように、より大きい視覚的影響をもたらす大きな照度低下量においては移行時間が長くなり、視覚的影響が少ない小さな照度低下量においては移行時間が短くなる。従って、段調光制御において、照度低下量が大きい場合の視覚的違和感を解消しかつ照度低下量が小さい場合の省エネ性を実現することができる。
【００４２】
また、本実施形態の電源装置１によると、移行時間中に所定の調光入力信号が入力された場合に、調光制御部３の移行時間短縮部３３７が、所定の調光入力信号の入力時以降の移行時間を短縮させ、好ましくはゼロとする。従って、評価時、検査時等においては、移行期間を待たずに目標調光率を得ることができ、作業性が向上する。
【００４３】
実施形態２．
上記実施形態においては、調光低下量の増加に対して長い移行時間が設定される構成を示したが、本実施形態においてはさらに、調光低下量の増加に対して遅い移行速度（減光速度）が設定される構成を示す。なお、本実施形態では、移行時間決定部３３５の動作が第１の実施形態のものと異なり、他の部分の構成及び動作は第１の実施形態と同様である。従って、以降においては、移行時間決定部３３５及びそれに関連する説明のみを行う。
【００４４】
本実施形態においては、移行時間決定部３３５は、調光低下量に基づいて、調光率が当初調光率から目標調光率に到達するまでの減光速度を決定する。具体的には、移行時間決定部３３５は、調光低下量が大きいほど、調光低下量を移行時間で除した減光速度が小さくなるように移行時間又は移行速度を決定する。これにより、調光低下量が大きいほど移行時間が長くなるだけでなく、調光低下量が大きいほど減光速度が遅くなる。
【００４５】
従って、図２の線Ａ及び線Ｂの態様は第１の実施形態における移行制御だけでなく、本実施形態における移行制御にも当てはまる。図２の場合、調光低下量が５０％の線Ａにおいては、減光速度が５０％／ｓ（＝５０％／１ｓ）であるのに対し、調光低下量が７５％の線Ｂにおいては、減光速度が７．５％／ｓ（＝７５％／１０ｓ）である。また、図６に、本実施形態による段調光制御の一例を示す。図６の横軸は時間（秒）であり、縦軸は光出力（％）であり、線Ｂは、図２と同様に、調光率１００％（全光）から２５％への減光における移行制御を示し、線Ｃ´は調光率７０％（全光）から２５％への減光における移行制御を示す。線Ｃ´については、時刻ｔ１において目標調光率を２５％とする調光入力信号が入力され、時刻ｔ３´（例えば、３ｓ）において調光指令値が目標調光率に到達して移行制御が終了する。調光低下量が７５％の線Ｂにおいては図２と同様に減光速度が７．５％／ｓであるのに対し、調光低下量が４５％の線Ｂにおいては減光速度が１５％／ｓ（＝４５％／３ｓ）である。このように、調光低下量に対して減光速度が単調減少する。
【００４６】
このように、本実施形態によると、より大きい視覚的影響をもたらす照度低下量においては照度変化を遅くし、視覚的影響が少ない小さな照度低下量においては照度変化を速くしたので、段調光制御におけるユーザの違和感の解消及び省エネ性の実現をさらに担保することができる。
【００４７】
実施形態３．
＜道路灯及び道路灯システム＞
図７に、本発明の第３の実施形態として道路灯１０及び道路灯システム１５を示す。なお、図は模式図であり寸法通りではない。道路灯１０はポール１１及び灯具本体１２を備える。ポール１１は中空体からなり、一端が地面Ｇに埋設される。電源装置１はポール１１の中空部に取り付けられ、配線Ｗ１及びＷ２を介して交流電源ＡＣから給電されるとともに、配線Ｗ５、Ｗ６及びＷ７を介してコントローラ６から調光入力信号Ｄ１及びＤ２を受信する。灯具本体１２はポール１１の上端に取り付けられ、下方を照射可能に取り付けられたＬＥＤユニット４を備える。上述したように、ＬＥＤユニット４には配線Ｗ３及びＷ４を介して電源装置１の出力電力が供給される。
【００４８】
道路灯システム１５は、路上に設置された道路灯１０と、道路灯１０に接続されたコントローラ６を備える。交流電源ＡＣ並びに調光入力信号Ｄ１及びＤ２は各道路灯１０に対して共通である。なお、コントローラ６は地面Ｇに埋設されている必要はない。また、図には３台の道路灯１０が示されているが、道路灯の本数は２台以下であってもよいし、４台以上であってもよい。
【００４９】
このように、本実施形態の道路灯１０及び道路灯システム１５によると、路上において段調光制御を行う場合であっても、ユーザに違和感を与えずにかつ省エネ性を実現することができる。
【００５０】
実施形態４．
＜トンネル灯及びトンネル灯システム＞
図８に、本発明の第４の実施形態としてトンネル灯２０及びトンネル灯システム２５を示す。なお、図は模式図であり寸法通りではない。トンネル灯２０は筐体２１を備え、筐体２１はトンネル内壁Ｔに取り付けられる。筐体２１には電源装置１及びＬＥＤユニット４が配置される。電源装置１は配線Ｗ１及びＷ２を介して交流電源ＡＣから給電されるとともに、配線Ｗ５、Ｗ６及びＷ７を介してコントローラ６から調光入力信号Ｄ１及びＤ２を受信する。上記各実施形態と同様に、ＬＥＤユニット４には配線Ｗ３及びＷ４を介して電源装置１の出力電力が供給される。
【００５１】
トンネル灯システム２５は、トンネル内壁Ｔに取り付けられた複数のトンネル灯２０と、複数のトンネル灯２０に接続されたコントローラ６を備える。図には３台の道路灯１０が示されているが、道路灯の本数は２台であってもよいし、４台以上であってもよい。
【００５２】
このように、本実施形態のトンネル灯２０及びトンネル灯システム２５によると、トンネル内で段調光制御を行う場合であっても、ユーザに違和感を与えずにかつ省エネ性を実現することができる。
【００５３】
＜変形例＞
以上に本発明の好適な実施形態を示したが、本発明は以下に示すように種々の態様に変形可能である。
【００５４】
・光源の変形
上記各実施形態では、光源としてＬＥＤユニット４を用いたが、光源が蛍光灯、高圧放電灯等の場合であっても、本発明は適用可能である。
【００５５】
・消灯時の減光制御への適用
上記各実施形態では、段調光制御として目標調光率が５０％及び２５％のものを例示して説明したが、目標調光率はこれらに限られない。特に、目標調光率が０％の場合、すなわち消灯時においても本発明は適用可能である。従って、本発明は、調光指令が消灯指令である場合も含む。
【００５６】
・移行時間短縮制御の変形
上記各実施形態では、移行時間短縮制御が行われる場合には、キャンセル信号受信時以降の残余の移行時間がゼロとされる構成を示したが、残余の移行時間が短縮されるものであれば残余の移行時間はゼロでなくてもよい。例えば、キャンセル信号受信時以降の減光速度が加速される構成としてもよい。
【符号の説明】
【００５７】
１  電源装置
２  電力供給部
３  調光制御部
４  ＬＥＤユニット（光源）
１０  道路灯
１１  ポール
１２  灯具本体
２０  トンネル灯
２１  筐体
３３４  調光目標決定部
３３５  移行時間決定部
３３６  調光指令出力部
３３７  移行時間短縮部
【図１】
2015035302.tif 000003
【図２】
2015035302.tif 000004
【図３】
2015035302.tif 000005
【図４】
2015035302.tif 000006
【図５】
2015035302.tif 000007
【図６】
2015035302.tif 000008
【図７】
2015035302.tif 000009
【図８】
2015035302.tif 000010